(57)【要約】      （修正有）【課題】広い範囲にわたって光量を調整することができ、しかも、安価に製作できて、既存のダウンライトにも簡単に後付けすることが可能なダウンライト用調光器を提供する。【解決手段】ダウンライト１の光出射用の下部開口縁に着脱可能に取り付けられる枠体８１を備え、この枠体８１にはその開口面積を可変するアイリスシャッタ８２が光軸と同心に設けられ、このアイリスシャッタ８２は、最も閉じたときの開口面積が、ダウンライト１の光源からの光を遮るように光源に対向配置されたグレア防止部材５のキャップ５３の光軸を横切る断面積と略同一になるように設定されている。【選択図】図２
2010055772.tif 000002
【特許請求の範囲】
【請求項１】
ダウンライトの光出射用の下部開口縁に着脱可能に取り付けられる枠体を備え、この枠体内には開口面積を可変するアイリスシャッタが光軸と同心に設けられ、このアイリスシャッタは、最も閉じたときの開口面積が、ダウンライトの光源からの直射光を遮るように光源に対向配置されたグレア防止部材のキャップの光軸を横切る断面積と略同一になるように設定されていることを特徴とするダウンライト用調光器。
【請求項２】
前記アイリスシャッタを構成するフラップは、光透過部材からなることを特徴とする請求項１記載のダウンライト用調光器。
【発明の詳細な説明】
【技術分野】
【０００１】
本発明は、ダウンライトの出射光量を調整するためのダウンライト用調光器に関するものである。
【背景技術】
【０００２】
従来のダウンライトには、ダウンライトの光出射用の下部開口縁にルーバシャッタ付きの枠体を装着することにより光照射方向を可変するようにしたものがある。しかし、このようなルーバシャッタは、光の照射方向を可変できるだけであって光量を任意に調整することができない。このため、ライフシーンに合わせて光の演出効果を十分に発揮することが難しい。
【０００３】
そこで、従来技術では、ダウンライトの光出射用の下部開口縁にアイリスシャッタを設けた構成のものが提案されている（例えば、下記の特許文献１参照）。
【特許文献１】実公平７−４３８４９号公報
【発明の開示】
【発明が解決しようとする課題】
【０００４】
上記の特許文献１記載のものは、アイリスシャッタの開閉操作により光量を調整することができ、特にアイリスシャッタを最も閉じたときには、その開口面積が略零になるように構成されているので、略完全に光を遮断することができる特徴がある。
【０００５】
しかし、このように全閉時に開口面積を略零にできるアイリスシャッタは、一般的な周知構成のアイリスシャッタに比べて構造が複雑であって高価なものになり、また既存のダウンライトに簡便に取り付けるのも難しい。
【０００６】
本発明は、上記の課題を解決するためになされたもので、光を十分出射できる状態から光を略完全に遮断する状態までの広い範囲にわたって光量を任意に調整することができ、しかも、安価に製作できて、既存のダウンライトにも簡単に後付けすることが可能なダウンライト用調光器を提供することを目的とする。
【課題を解決するための手段】
【０００７】
上記の目的を達成するために、請求項１記載の発明に係るダウンライト用調光器は、ダウンライトの光出射用の下部開口縁に着脱可能に取り付けられる枠体を備え、この枠体内には開口面積を可変するアイリスシャッタが光軸と同心に設けられ、前記アイリスシャッタは、最も閉じたときの開口面積が、ダウンライトの光源からの直射光を遮るように光源に対向配置されたグレア防止部材のキャップの光軸を横切る断面積と略同一になるように設定されていることを特徴としている。
【０００８】
また、請求項２記載の発明に係るダウンライト用調光器は、請求項１記載の発明の構成において、前記アイリスシャッタを構成するフラップは、光透過部材からなることを特徴としている。
【発明の効果】
【０００９】
請求項１記載の発明に係るダウンライト用調光器は、ダウンライトの光出射用の下部開口縁に、アイリスシャッタを備えた枠体を着脱可能に取り付けることができるため、既存のダウンライトにも簡単に後付けすることが可能である。また、この場合のアイリスシャッタは、一般的な構成のものであるので安価に製作できる。このような一般的な構成のアイリスシャッタは、最も閉じた状態にしても開口面積を零にすることができないが、本発明では、最も閉じたときの開口面積がダウンライトの光源に対して配置されたグレア防止部材のキャップの光軸を横切る断面積と略同一になるように設定されているので、グレア防止部材のキャップ部によってアイリスシャッタの開口を通過する光が遮られて外部に漏れる光量は極めて少なくなる。よって、グレア防止部材のキャップ部で光が遮られてアイリスシャッタの開口からの出射光が極めて少ない状態から、アイリスシャッタの開口が開いて光を十分に出射できる状態までの広い範囲にわたって光量を調整することができる。
【００１０】
また、請求項２記載の発明に係るダウンライト用調光器は、アイリスシャッタを構成するフラップが光透過部材からなるので、その素材によって光の色を変えることができ、意匠の自由度も高くなるので、光の演出効果を一層高めることができる。
【発明を実施するための最良の形態】
【００１１】
以下、本発明の実施の形態について、図面を参照して詳しく説明する。図１は本発明の実施の形態におけるダウンライト用調光器をダウンライトに取り付けた状態を示す一部破断正面図、図２は同ダウンライト用調光器とダウンライトとを示す分解斜視図である。ここでは、まず、ダウンライトの構成について説明し、次に、本発明のダウンライト用調光器の構成について説明する。
【００１２】
ダウンライト１は、灯体２、反射板３、光源４、およびグレア防止部材５を備えている。灯体２は、反射板３およびグレア防止部材５を内包するように略砲弾形に形成された内包部２１と、この内包部２１の下部に形成された円筒部２２とを有する。そして、内包部２１は天井板Ｐの裏側に配置され、円筒部２２は天井板Ｐの表側に露出するように配置される。そして、内包部２１の頂部にはソケット６が取り付けられ、このソケット６に白熱灯などの光源４の上端部が接続されるとともに、リード線７が接続されている。
【００１３】
また、灯体２の円筒部２２の内周面には、反射板３とグレア防止部材５の後述する切欠部３３，５４が係止される係止突起部２４が形成されるとともに、反射板３とグレア防止部材５を押圧保持するためのばね部材２５が設けられている。さらに、円筒部２２の外周の一部には、後述のダウンライト用調光器８の枠体８１を位置決め固定するためのＬ字形の嵌合溝２６が形成されるとともに、枠体固定用つまみねじ２７が設けられている。
【００１４】
反射板３は、光軸に対して略回転放物面を有する砲弾形に形成されて内部に反射面が形成された反射鏡部３１と、この反射鏡部３１の下部開口の周縁から径方向外方に張り出したつば部３２とを有し、つば部３２の適宜箇所に切欠部３３が形成されている。また、反射板３の頂部には光源４の挿通孔３４が形成されている。
【００１５】
グレア防止部材５は、反射板３のつば部３２と略同じ大きさのリング状のフレーム５１と、このフレーム５１に両端部が連結されたアーチ形のバー５２と、バー５２に保持されて光源４の下端部を覆うように対向配置されて光源４からの直射光を遮光するキャップ５３とを有し、これらが一体的に結合されている。そして、フレーム５１には、反射板３の切欠部３３と合致する箇所に切欠部５４が形成されている。
【００１６】
灯体２に反射板３およびグレア防止部材５を取り付けるには、反射板３のつば部３２とグレア防止部材５のフレーム５１とを重ね合わせた状態で、反射板３のつば部３２およびグレア防止部材５のフレーム５１にそれぞれ設けられた両切欠部３３，５４を共に灯体２の係止突起部２４に挿入した後、これらを周方向に回動させることにより、ばね部材２５との協同で反射板３とグレア防止部材５が共に灯体２に一体的に保持される。
【００１７】
一方、ダウンライト用調光器８は、ダウンライトの光出射用の下部開口縁となる灯体２の円筒部２２に着脱可能に取り付けられる略円筒状の枠体８１を備え、この枠体８１内にはその開口面積を可変するアイリスシャッタ８２が光軸と同心に設けられている。
【００１８】
枠体８１は、灯体２の円筒部２２に外嵌される内径を有し、その内部にアイリスシャッタ８２が設けられている。また、枠体８１の上端の一部には前述の灯体２の枠体固定用つまみねじ２７が挿入される略Ｌ字形の切溝８３、および灯体２の嵌合溝２６に係合される突起部（図示せず）が形成されている。さらに、枠体８１の一部にはその周方向に沿ってシャッタ操作用のスリット８５が形成され、このスリット８５からはシャッタ開閉用つまみねじ８６が外方に突出されている。
【００１９】
アイリスシャッタ８２は、枠体８１の内部にリング状の作動板８７が配置され、この作動板８７に略直線的な長穴（図示せず）が放射状に多数形成され、これらの各長穴に羽状のフラップ８８が摺動可能に取り付けられている。この場合、フラップ８８は、光透過性のない例えば黒色に着色した合成樹脂を素材として構成されている。そして、作動板８７の周側部の一カ所には上記のシャッタ開閉用つまみねじ８６が固定されている。なお、このアイリスシャッタ８２の構成自体は周知のものである。
【００２０】
このダウンライト用調光器８をダウンライト１の灯体２に固定するには、枠体８１の切溝８３に枠体固定用つまみねじ２７の首部を挿入し、また、枠体８１の図示しない突起部を嵌合溝２６に挿入する。そして、枠体８１を回動して枠体固定用つまみねじ２７の首部を切溝８３の内端部に位置させるとともに、図示しない突起部を嵌合溝２６の内端部に位置させた後、枠体固定用つまみねじ２７を締め付ける。
【００２１】
このように、この実施の形態では、ダウンライト１の光出射側の下部開口縁にダウンライト用調光器８を着脱可能に取り付けることができるため、既存のダウンライト１にも簡単に後付けすることが可能である。また、この場合のダウンライト用調光器８が備えるアイリスシャッタ８２は、一般的な構成のものであるので安価に製作することができる。
【００２２】
ここで、ダウンライト用調光器８をダウンライト１に取り付けた後、シャッタ開閉用つまみねじ８６をスリット８５に沿って回動すると、これに応じて作動板８７が回転し、作動板８７の回転に伴ってフラップ８８が光軸中心から同一の距離に集合したり離間したりすることで、アイリスシャッタ８２の開口面積が可変される。
【００２３】
この場合、アイリスシャッタ８２はフラップ８８に厚みがあるため、アイリスシャッタ８２を最も閉じた状態にしても、図３（ａ）に示すように、その開口面積を零にすることができない。しかし、この実施の形態では、アイリスシャッタ８２を最も閉じたときの開口面積は、グレア防止部材５のキャップ５３の光軸を横切る断面積と略同一になるように設定されているので、グレア防止部材５のキャップ５３によってアイリスシャッタ８２の開口を通過する光が遮られて外部に漏れる光量が極めて少なくなる。
【００２４】
したがって、図３（ａ）に示すようにグレア防止部材５のキャップ５３で光が遮られてアイリスシャッタ８２の開口からの出射光が極めて少ない状態から、図３（ｂ）に示すようにアイリスシャッタ８２の開口が開いて光を十分に出射できる状態までの広い範囲にわたって光量を調整することができる。
【００２５】
なお、上記の説明では、アイリスシャッタ８２を構成するフラップ８８は、光透過性のないもので構成したが、透明樹脂などの光透過性の材料で構成することも可能である。このように、アイリスシャッタ８２のフラップ８８を光透過性の材料で構成すれば、その素材によって光の色を変えることができ、意匠の自由度が高くなるので、光の演出効果を一層高めることができる。
【図面の簡単な説明】
【００２６】
【図１】本発明の実施の形態におけるダウンライト用調光器をダウンライトに取り付けた状態を示す一部破断正面図である。
【図２】本発明の実施の形態におけるダウンライト用調光器とダウンライトとを示す分解斜視図である。
【図３】ダウンライト用調光器のアイリスシャッタの作用を説明するために光出射側から見た平面図である。
【符号の説明】
【００２７】
１    ダウンライト
４    光源
５    グレア防止部材
５３  キャップ
８    ダウンライト用調光器
８１  枠体
８２  アイリスシャッタ
８８  フラップ
【図１】
2010055772.tif 000003
【図２】
2010055772.tif 000004
【図３】
2010055772.tif 000005